Podtech/llm-jp-corpus-v4-ja_patent huggingface dataset:
(57)【要約】　　　（修正有）【課題】掛布団の自重による横臥体の負担を軽減し、体と掛布団との心地良い接触感を維持して、この構造体が体や脚部の移動の際にも支障なく、布団内の体温が下半身に移行し易く、暖かさを感じ楽に寝られる健康保温具を提供する。【解決手段】屏風状の平面形を構成し、脚先部Ａと環状架構Ｂ，ＢＣを接続架構Ｄの先端で、自由嵌合の継手１で、コの字形にし、転倒を防止して、Ｂ及びＢＣの三箇所で掛布団を支え、凹みＥ，Ｆが布団内の空間を少なくして、体温が下半身に移行し易くなる。【選択図】　図２
0003097513.tif 000002
【実用新案登録請求の範囲】
【請求項１】
本案は素材の塩ビパイプやプラスティクスで、屏風状の平面形（図１）を構成し、脚先部（図１，２）（Ａ）は両縦部材の下部で、環状架構（Ｂ）と接続架構（Ｄ）で連結し、コの字形を構成して転倒を防止し、身体が横臥の際には脚先部（Ａ）は足先の外側に位置し、掛布団は脚先部架構（Ａ）と体の両側の環状架構（Ｂ）及び（Ｂ，Ｃ）の三箇所で支え、環状架構は横臥の状態で、簡単に八字形に移動出来て、（図２）（Ａ，Ｂ，Ｃ）の内側は、体横断部分（Ｅ）と体縦断部分（Ｆ）に掛布団の自重で、軽く体に接触する程度の凹みを作り、布団内の空間を少なくして、足先に体温の温感を移行し易くした、掛布団軽減用健康保温具。
【考案の詳細な説明】
【０００１】
【考案の属する技術分野】
本案は寝具の掛布団の重さによる、人体の負担を軽減して、老化による血流拘束を緩和して、体温（３５℃前後）を有効に維持する発想により本案ができた。
【０００２】
【従来の技術】
この種の考案は蒲鉾状籠形の、専ら障害患者用として使用され、患者の診療手当て、保温、用具の軽量化を目的とした。
【０００３】
【考案が解決しようとする課題】
本案は体の上に密着して使用している掛布団の重さによる、体の負担を軽減して圧迫感を除去すると共に、体と掛布団との心地良い接触感を維持できる構造体が、簡単軽量で架構が体や脚部の移動の際にも支障がなく、掛布団と体の空間を少なくして、脚部の微細な毛細血流の拘束を緩和して、布団内の体温が下半身に移行し易く、暖かさを感じ、湯たんぽ等がなくても安眠出来る。
【０００４】
【課題を解決するための手段】
（図２）の（Ａ，Ｂ，Ｃ）三箇所の架構で掛布団の自重を支え、この部分に出来る自然なたるみは、体に心地良い接触感と温感を与え、これらの架構は総て体の外側にあって、敷き布団上にも、横臥や脚部移動にも障害となる部材がなく、体の左右の空間から体温が脚部方向へ流入し易くなっている。
【０００５】
【考案の実施の形態】及び
【実施例】
（図１，２）の如く簡単に実施形状に組立、（Ｄ）部分は（図３）接合部の嵌合（１）でコの字形に構成し、転倒を防止して使用する（Ａ，Ｂ，ＢＣ）架構に掛布団を載せて、この中で横臥体が楽に動ける様に、そのままの状態で簡単に八の字状に開くことが出来、（Ｃ）は簡単に左右交換や抜き差し出来る。
【０００６】
【考案の効果】
架構は独特な屏風の様な平面形を、（図２）使用例の如くコの字状に極めて簡単に組立、掛布団自重を脚先部と体の両側の架構で支え軽くし、横臥体に支障となる部材がなく、掛布団の自重によるたるみで、心地良い接触感を維持し、布団内の空間を少なくし、体温による温感が足先に移行し易く暖かく感じられる。
【図面の簡単な説明】
【図１】本案の基本形の屏風状の平面、（Ａ）は脚先部の架構、（Ｄ）は接続架構、（Ｂ，ＢＣ）は体の両側の環状架構、
【図２】架構を敷布団（Ｘ）上に載せた使用例、（図面下側が枕側）
【図３】（Ａ）と（Ｄ）の接合部の例、
【図４】原案は毛布等で外形を作り内に骨格を入れる外形は家庭で出来る。
【符号の説明】
１、架構の自由嵌合、無符号は固定嵌合、
Ｅ　掛布団の自重による横臥体の横断部分の凹み、
Ｆ　　　　　　　　〃　　　　　縦断部分の凹み、
【図１】
0003097513.tif 000003
【図２】
0003097513.tif 000004
【図３】
0003097513.tif 000005
【図４】
0003097513.tif 000006
【手続補正書】
【提出日】平成15年5月20日(2003.5.20)
【手続補正１】
【補正対象書類名】明細書
【補正対象項目名】請求項１
【補正方法】変更
【補正の内容】
【請求項１】
素材の塩ビパイプやプラスティクスの単一部材で、独立した平面型の、近似矩形三体の架構を一組として、組立時に三体の近似矩形を屏風状の連続平面形とするため、脚先部と身体両側の環状架構を各一本の棒状接続架構で、脚先部環状両側の縦部材の最端に、自由嵌合で、他端は固定嵌合で連結成形して、敷布団上の使用時では、この両側の自由嵌合部分で折り曲げ、総体的にコの字形の形態で、掛布団の荷重とずれによる転倒を防止すると共に、総ての平面型架構の近似矩形が起立し、敷布団上の占有面積が最小となり、この内側に身体が横臥の際は、脚先部は足先の外側に位置し、コの字形で連結した脚先部架構と、身体両側の環状架構の、三箇所の近似矩形の起立した架構上に、所要の掛布団が載せられ、身体の上の掛布団の不要部分の荷重が支えられる事を特徴とし、身体両側の環状架構は横臥の状態で、自由嵌合の部分で、コの字形を単独に八字形に開閉して、自由に変動が出来て、掛布団の中央で略脚先に位する掛布団の内側は、体横断部分と体縦断部分に掛布団自重で、軽く体に接触する程度の凹みが出来て、布団内の空間が少なく、足先に体温の温感が移行し易くなる、掛布団軽減用健康保温具。
(57)【要約】【課題】従来の椅子は体を包みこむものがほとんどであるが、考案の椅子は背中を積極的に押し戻してくれるようにすることを課題にした。【解決手段】積極的に押し戻すためには、平板な板であると背骨があたって痛いので、背骨の両側に沿うように木材の角を利用した。【選択図】　図２
0003097511.tif 000002
【実用新案登録請求の範囲】
【請求項１】
背もたれに木材の角を利用することによって背骨の両側を押
してくれるように工夫した椅子
【考案の詳細な説明】
【０００１】
【考案の属する技術分野】
木製椅子の製作
【０００２】
【考案が解決しようとする課題】
背もたれが背骨の両側を支えてくれる椅子を作る。
【０００３】
【課題を解決するための手段】
上記目的を達成するために木材の角を背骨の両側にそわせるようにした上で座る人にとって一番押し戻してほしい所を一番高くするように工夫した。
【０００４】
【考案の実施の形態】
直径２０ｃｍ余りの丸太を縦に４つ割りしたもののうち２本を使い床から一体となった椅子の背もたれとする。座る人の希望する箇所を頂点として上下両方向に材を斜めに削り取る。
その結果、座る人が一番支えてほしいところが最も突出した形の背もたれとなる。
【０００５】
【考案の効果】
慢性腰痛持ちで猫背気味の考案者が実際に毎日使用し続けたところ、非常に快適で今までと違い長時間椅子に座り続ける事が出来た。
【図面の簡単な説明】
【図１】椅子座面の平面図である。
【図２】椅子の側面図である。
【図３】椅子の正面図である。
【符号の説明】
１　丸太を４つ割にしたもの
２　この出っ張りが背骨の両側にくるようにする
３　一番高くする所は座る人の要望に合わせる
【図１】
0003097511.tif 000003
【図２】
0003097511.tif 000004
【図３】
0003097511.tif 000005
【手続補正書】
【提出日】平成15年5月30日(2003.5.30)
【手続補正１】
【補正対象書類名】明細書
【補正対象項目名】実用新案登録請求の範囲
【補正方法】変更
【補正の内容】
【実用新案登録請求の範囲】
【請求項１】
この椅子は　長さ１ｍ程度の丸太を縦に十文字に伐った物のうちの２本を使って背もたれとするが丸太材をこのように伐ることで　材の長さにわたり直角の「角」ができるので　この「角」が背骨の両側にあたるように２本の材を貼りあわせて、これを背もたれ　および　それと連続した床面までの脚とする。なお、貼りあわせるにあたっては材が重なり合うところが出るので、この部分は切り落とすこととする。
(57)【要約】【課題】本考案は、人間各々で異なる足裏面形状をサンダルの中芯部が、履いた人間の足裏面形状に対して忠実に変形し、さらに足裏面形状を固定する事でサンダルと足の密着感が得られる事で、良好な履き心地を提供するものである。【解決手段】足裏面形状固定サンダルを使用した場合図１が示すように、足裏面形状固定サンダル中芯部１が体重によって変形・固定された状態となる。この形状が固定される事によって足裏面が天板部３に密着して良好な履き心地を得られる。【選択図】　　図１
0003097517.tif 000002
【実用新案登録請求の範囲】
【請求項１】
足裏面形状は、人間ごとに違う。足７の形状を足裏面形状固定サンダル中芯部１が変形・固定する事で、足７の形状が足裏面形状固定サンダル中芯部１にほぼ同じ形状で固定される。足裏面形状固定サンダル中芯部１には、荷重が加えられる事によって変形・固定する特殊スポンジを使用している。又変形・固定し易い足裏面形状固定サンダル中芯部１を弾力性に富むスポンジを使用した足裏面形状固定サンダル外芯部２で囲む事で過度の変形を抑えることが出来る。足裏面形状がほぼ同じ形で固定された中芯とそれを覆う天板部３に足７が密着する事で良好な履き心地を特徴とする足裏面形状固定サンダル。
【請求項２】
各自各々の足裏面形状に合ったサンダルを作る場合、型の作成といった作業が必要となり、時間と費用がかかりコスト的に不経済であるが、足裏面形状固定サンダルの場合は、履いた時点で形状成型をするという注文生産機能を持ち時間と費用を節約できる特徴とする足裏面形状固定サンダル。
【考案の詳細な説明】
【０００１】
【産業上の利用分野】
本考案は、人間各々で異なる足裏面形状を中芯部が変形・形状固定する事で、足裏面が密着することで履き心地良好な足裏面形状固定サンダルに関する。
【０００２】
【従来の技術】
従来のサンダルは、中芯部分にゴム、スポンジ、ウレタン等を用いて一般的な足形にしたもの、材質にゴム、ウレタン等を使用し多数の突起物で中芯を覆い足裏に適度な刺激を与える物、中芯内部に空洞部を設け、空洞部内に液体、気体を封入して歩行時の衝撃をやわらげる物、中芯内に粘性の高い液体を封入して足裏の形状追従するものが知られている。
【０００３】
【考案が解決しようとする課題】
従来の技術を利用した物においては、ある人に対して良好な履き心地を得る場合もあるが、人によっては足に負担が掛かることで強い違和感を持つことになる。また、各自各々の足裏面形状に合ったサンダルを作る場合、型の作成といった作業が必要となり、時間と費用がかかりコスト的に不経済な物になってしまう。
【０００４】
本考案は、従来の技術によって生じる問題点を考慮してなされたものであり、足裏面形状固定サンダルを履いた時点で、形状成型をするという注文生産機能を持ち、それによって良好な密着感を得られる事と、各自各々の足裏面形状に合ったサンダルを作る際に必要となる、形状成型作業を省略し、時間と費用を節約できる足裏面形状固定サンダルを提供しようとするものである。
【０００５】
【課題を解決するための手段】
本考案における足裏面形状固定サンダルは、足裏面形状固定部中芯に、荷重が加えられると変形・形状固定する性質を持つ特殊スポンジを使用、中芯部を弾力性に富むスポンジを使用した外芯部で囲む事により過度の変形を抑える。足裏面形状固定サンダルの中芯部が人間各々の足裏面形状にあわせて変形・形状固定する機能を備えたもので上記課題を解決するものである。
【０００６】
【実施例】
本考案に係る、足裏面形状固定サンダルの実施例を図面に基づいて説明すると、図１は、足裏面形状固定サンダル右側を履いて足裏面形状固定サンダル中芯部１が体重によって荷重がかかり変形・形状固定した状態を内足側より見た推定断面図で、図２は、足裏面形状固定サンダル右側を履く前の変形固定していない状態を内足側より見た推定断面図である。図１と図２を比較してみると荷重が加わり変形・固定後と変形・固定前の違いが明確にわかる。図３は、足裏面形状固定サンダル外芯部２が足裏面形状固定サンダル中芯部１が過度な変形を防ぐ為に周りを囲むような形に加工取り付けたものである。
【０００７】
図４は、足裏面形状固定サンダル右足側の甲被部６を外した状態でつま先側から見た推定断面図である。足裏面形状固定サンダル中芯部１は、変形しやすい特殊スポンジを使用しているため、地面に直接接触して外部からの衝撃をやわらげるアウトソールとしての機能はもち合わせていない為、アウトソール部４とボール５部を設けることによって地面からの凸凹による衝撃などを直接足裏面形状固定サンダル中芯部１に受けない様な緩衝構造をとっている事が図４でわかる。
【０００８】
以上この実施例により、足裏面形状固定サンダルを使用した場合図５が示すように、足裏面形状固定サンダル中芯部１が体重によって変形・固定された状態となる。この形状が固定される事によって足裏面が天板部３に馴染んで良好な履き心地を得られる。
【０００９】
【考案の効果】
本考案に係る足裏面形状固定サンダルは、人間各々で異なる足裏面形状を足裏面形状固定サンダル中芯部１が変形・形状固定する事によって、足裏面が天板部３に密着することで良好な履き心地を得られる効果がある。
【００１０】
各自各々の足裏面形状に合ったサンダルを作成する場合、足裏面形状に合った型を作成する必要が生じることで、時間と費用がかかりコスト的に非常に不経済である、ところが足裏面形状固定サンダルの場合は履いた時点で、形状成型をするという注文生産機能を持ち時間と費用を節約できる経済的な効果もある。
【図面の簡単な説明】
【図１】足裏面形状固定サンダル右足側を履いた状態で内足側より見た推定断面図である。
【図２】足裏面形状固定サンダル右足側履く前の状態で内足側より見た推定断面図である。
【図３】足裏面形状固定サンダル右足側の天板部を外した状態で足裏面形状固定サンダル中芯部、足裏面形状固定サンダル外芯部を上面より見える様にした図である。
【図４】足裏面形状固定サンダル右足側の甲被部を外した状態でつま先側から見た推定断面図である。
【図５】足裏面形状固定サンダル右足側を履いて脱いだ後、足裏形状が足裏面形状固定サンダル中芯部に固定された状態を右足側の内足側より見た推定断面図である。
【符号の説明】
１・・・足裏面形状固定サンダル中芯部
２・・・足裏面形状固定サンダル外芯部
３・・・天板部
４・・・アウトソール部
５・・・ボール部
６・・・甲被部
７・・・足
【図１】
0003097517.tif 000003
【図２】
0003097517.tif 000004
【図３】
0003097517.tif 000005
【図４】
0003097517.tif 000006
【図５】
0003097517.tif 000007
【手続補正書】
【提出日】平成15年6月9日(2003.6.9)
【手続補正１】
【補正対象書類名】明細書
【補正対象項目名】実用新案登録請求の範囲
【補正方法】変更
【補正の内容】
【実用新案登録請求の範囲】
【請求項１】
甲被部、アウトソール部、外芯部、中芯部からなるサンダルにおいて、中芯部に、荷重が加えられることによって、変形、固定する能力を有するスポンジを使用したことを特徴とする足裏面形状固定サンダル。
(57)【要約】【課題】本考案はペン数本を同時に持つことができるペン用キャップに関するものである。又外側に角度をつけることでペン同士の接近がなく脱着を容易にする用具である。【解決手段】本考案はペン用キャップ（フタの部分）１を数本分一体成型することにより、キャップに差し込みができるペン本体（芯の部分）４の本数分同時に片手で持つことができる、又外側に斜め５にすることでペン同士接近することなく４の脱着が容易におこなえる。【実用新案登録請求の範囲】
【請求項１】
ペン用キャップ（フタの部分）数本（２本から５本）を一体成型したものである。キャップ部を外側に角度をつけることにより、ペン本体（芯の部分）の脱着を容易にしたところを特徴とするものである。
【考案の詳細な説明】
【０００１】
【考案の属する技術分野】
本考案はペン類、数本（２本から５本）を同時に片手で持ち、学校等の授業などで黒板（白板）に説明用として筆記する際に使用されるペン用キャップに関するものである。
【０００２】
【従来の技術】
キャップと本体で１本のペンとなっており同形状で色ちがいがあります。このペンを片手で色ちがい数本を同時に持ち筆記の際、その中の１本をキャップ本体を脱着させるのが大変困難である。
【０００３】
【考案が解決しようする課題】
説明用として筆記の際色ちがいのペンを１本１本持ち替えて使用されているが、キャップのみ一体成型した本考案を片手で持つことで、そこに差し込みができる本数分同時に持つことができる。又キャップは手元側になり外側に角度をつけることにより、ペン本体の脱着が容易におこなえるためこの欠点を解決しようとするものである。
【０００４】
【課題を解決するための手段】
キャップ側のみ数本（２本から５本用）を一体成型することにより問題を解決している。
【０００５】
【考案の実施の形態】
キャップ側を一体成型すると同時に外側に角度をつけることにより、他のペンとペンが接近することなくペン本体の脱着が容易におこなえる。
【０００６】
【実施例】
以下添付図面に従って説明する。
一体成型した１すなわち３の部分を片手で持ち２より４を抜き取り使用する５は外側に向っての角度である。
【０００７】
【考案の効果】
本考案１を使用することにより２に差し込みができる本数分の４を同時に持つことができる。又外側に向って角度５をつけることにより、本体４同士の接近がなく容易に脱着がおこなえる。
【図面の簡単な説明】
図面はキャップ（フタの部分）４本用を例としている。
【図１】キャップ（フタの部分）の正面図である。
【図２】側面Ａ−Ａの断面図と４及び５の説明図である。
【符号の説明】
１　キャップ部を一体成型したもの
２　キャップの凹部で４の差し込み口
３　握り箇所
４　ペン本体（芯の部分）
５　角度（少し斜め）
【図１】
0003097512.tif 000002
【図２】
0003097512.tif 000003
【手続補正書】
【提出日】平成15年5月29日(2003.5.29)
【手続補正１】
【補正対象書類名】明細書
【補正対象項目名】実用新案登録請求の範囲
【補正方法】変更
【補正の内容】
【実用新案登録請求の範囲】
【請求項１】
ペン用キヤップ数本を一体成型したものであり、キヤップ部を外側に角度をつけることにより、ペン本体の脱着を容易にしたところを特徴とするペン用キヤップ。
(57)【要約】【課題】車内でのスイッチ操作により電磁バルブを開け、消火薬剤を投入することができ、走行することによって攪拌されているため、車両上での作業を要せず安全で、なおかつ現場到着後、迅速な展開で、効果的な泡消火活動ができる混合装置を提供する。【解決手段】積載水量２，０００リットルの水槽付消防ポンプ自動車の水槽ハッチ▲１▼の上に、容量６リットルの消火薬剤タンク２槽▲２▼を設置し、その消火薬剤タンクから水槽まで、電磁バルブ▲３▼と配管▲４▼を設け、電磁バルブ開閉スイッチを車内に設けたことで、車内からのスイッチ操作による消火薬剤の投入を可能にしたことと消火薬剤タンクの容量調整や消火薬剤タンクの数を増やすことにより状況に応じた最適な混合比を任意により選択できることを特徴とする。【選択図】　図１
0003097518.tif 000002
【実用新案登録請求の範囲】
【請求項１】
水槽付消防ポンプ自動車の水槽ハッチ▲１▼の上に、消火薬剤タンク２層▲２▼を設置し、電磁バルブ▲３▼と配管▲４▼を接続して、電磁バルブ開閉スイッチを車内に設けたことを特徴とした、クラスＡ泡消火薬剤バッチ式混合装置。
【考案の詳細な説明】
【０００１】
【考案の属する技術分野】
この考案は、水槽付消防ポンプ自動車の水槽ハッチに、消火薬剤タンクを設置したクラスＡ泡消火薬剤バッチ式混合装置に関するものである。
【０００２】
【従来の技術】
従来、水槽付消防ポンプ自動車の水槽ハッチを開け、消火薬剤を投入した後更に、攪拌していた。
【０００３】
【考案が解決しようとする課題】
これは、次のような欠点があった。
（イ）隊員が車両上にて、水槽ハッチを開け消火薬剤を投入し、攪拌しなければならいため、放水までの工程に労力と時間を要した。
（ロ）車両上での作業であるため、昇降の際また、作業中において転落事故等の危険が常に考えられた。
本考案は、これらの欠点を除くためになされたものである。
【０００４】
【課題を解決するための手段】
水槽付消防ポンプ自動車の水槽ハッチ▲１▼の上に消火薬剤タンク２層▲２▼を設置し、電磁バルブ▲３▼と配管▲４▼を接続する。電磁バルブ開閉スイッチを車内に設け、そのスイッチ操作で薬剤の投入を行い、車両の走行により発生する積載水の揺れによって攪拌され、混合液となる。
本考案は以上のような構成によりなる、クラスＡ泡消火薬剤バッチ式混合装置である。
【０００５】
【考案実施の形態】
以下、本考案の形態について説明する。
（イ）積載水量２，０００リットルの水槽付消防ポンプ自動車の水槽ハッチ▲１▼の上に、容量６リットルの消火薬剤タンク２槽▲２▼を設置し、それぞれに液量計▲５▼を取り付ける。
（ロ）消火薬剤タンク▲２▼から水槽へ薬剤投入用の配管▲４▼を設ける。
（ハ）消火薬剤投入用の配管▲４▼に、電磁バルブ▲３▼を設ける。
（ニ）電磁バルブ▲３▼の開閉スイッチを車内に設け、そのスイッチ操作により水槽へ消火薬剤の投入ができる。
（ホ）車両の走行により発生する、積載水の揺れによって攪拌される。
（ヘ）補給口キャップ▲６▼は、エアー抜きキャップを用いる。
【０００６】
【考案の効果】
本考案は以上のような構造で、これを使用するときは、出動時または出動中に消火薬剤投入スイッチの操作で水槽へ消火薬剤の投入を行い走行する。現場到着時には既に攪拌されており、即クラスＡ泡の効果による消火を可能にした。
なお、容量６リットルの消火薬剤タンクを２槽設け、配管と電磁バルブ、及び電磁バルブ開閉スイッチをそれぞれに設けているので、積載水量２，０００リットルに対して消火薬剤タンク１槽（６リットル）の消火薬剤投入で０．３％の混合液ができ２槽（１２リットル）の消火薬剤投入で０．６％の混合液としての使用を可能とした。
また、消火薬剤タンクの容量調整や、タンクの数を増やすことで状況に応じた最適な混合比を任意により選択することが可能である。
【図面の簡単な説明】
【図１】本考案の斜視図である。
【図２】本考案の正面図である。
【図３】本考案の平面図である。
【図４】本考案の側面図である。
【符号の説明】
▲１▼水槽ハッチ　　　　　▲２▼消火薬剤タンク　　　　　▲３▼電磁バルブ
▲４▼配管　　　　　▲５▼液量計　　　　　▲６▼補給口
【図１】
0003097518.tif 000003
【図２】
0003097518.tif 000004
【図３】
0003097518.tif 000005
【図４】
0003097518.tif 000006
(57)【要約】【課題】市販されているバーベキューコンロに汎用的に取り付けられ、屋外でも使用できる肉の塊を電動で焼く肉焼き器を提供する。【解決手段】本考案は、電池、ギア付きモーターを内蔵した駆動部からベベルギア大小によって肉を刺した丸棒を低回転させ、支柱は駆動部とその丸棒片側を支え、他方軸受けを備えた支柱は丸棒のもう一方を支え、それぞれの支柱は取り付け金具で市販のバーベキューコンロに汎用的に取り付けることによって課題を解決した。【選択図】　図３
0003097514.tif 000002
【実用新案登録請求の範囲】
【請求項１】
１．バーベキューグリル上面開口部の左右それぞれに固定金具で断面が長方形の軸受けを設けた支柱を固定し、片方の支柱の外側にベベルギア小が突き出
した駆動部を固定する。
２．上記１．の駆動部はギア付きモーターと乾電池を内蔵している。
３．それぞれの支柱の軸受けに、ベベルギア大、肉止め金具、倒れ防止金具の
付いた余裕をもった長さの丸棒を渡す。
４．ベベルギア大を上記３．の丸棒の駆動部側軸受け外側にし、駆動部より出たベベルギア小と丸棒のベベルギア大が噛み合う位置に固定、他方支柱の軸
受け外側に倒れ防止金具を固定する。
５．バーベキューグリルへの取り付け金具は、上記１．の支柱が上下にスライドするサドルを金属板に固定、切れ目を入れた金属板をサドルの上部でバーベキューグリル内側に折り曲げ、下部をバーベキューグリルにビス止めし取
り付け金具を固定する。
６．上記５．のサドルには上記１．の支柱を任意の高さで固定する蝶ねじを設
ける。
以上の構成を有するバーベキューグリル用電動肉焼き器。
【考案の詳細な説明】
【０００１】
【考案の属する技術分野】
本考案は、市販のバーベキューグリルに取り付ける汎用型電動肉焼き器であ
る。
【０００２】
【従来の技術】
業務用にバームクーヘンを焼くものや手動のものは従来より公知である。
【考案が解決しようとする課題】
【０００３】
市販されているバーベキューコンロは、網や鉄板でスライスした肉を焼くためのものであり、ブロック肉を焼くには繰り返し反転させなければならない
。
【０００４】
また、キャンプなど屋外で使用する家庭用に市販されているバーベキューコ
ンロに取り付けることはできず、電源があるとは限らない。
【０００５】
回転する棒に如何にして肉を刺し通すか。
【０００６】
肉の塊を焼く。
【課題を解決するための手段】
【０００７】
重い肉の塊を焼くために低回転のギア付きモーターとベベルギア小からベベ
ルギア大へ回転を落とし、より低回転とハイパワーとした。
【０００８】
屋外で使用できるように、電源を電池としギア付きモーターと共に駆動部に
一体化することにより、収納がコンパクトで携帯に便利である。
【０００９】
肉の塊を刺し通す丸棒は、着脱が容易なので肉の塊に丸棒を刺し通すのは簡
単である。
【００１０】
肉の塊を刺し通した丸棒のベベルギア大は、自重でベベルギア小と噛み合う
ので着脱の障害にならない。
【００１１】
支柱が差し込まれたサドルには、蝶ねじが装着してあるので、任意の高さに
調整できるため火加減が容易にできる。
【００１２】
取り付け金具の上部には切れ目が入っており、バーベキューグリル内側に　　折り曲げるのが容易で、且つ汎用性がある。
【００１３】
取り付け金具の下部はバーベキューグリルの、通気口を利用できるので取り
付けが簡単である。
【００１４】
丸棒端に固定した倒れ防止金具とベベルギアは、丸棒に左右の負荷がかかっ
た時、支柱を押さえる働きをするので安定して使用できる。
【考案の実施の形態】
【００１５】
使用時はバーベキューコンロの形態合わせて取り付け用金具を固定し支柱を固定、肉を刺した丸棒を支柱の軸受けに落とし込み、スイッチを入れるだけ
で自然にギアが噛み合い丸棒が回る。
【実施例】
【００１６】
以下、添付図面に従って実施例を説明する。
取り付け金具１０をバーベキューグリル上面開口部角に押し当て、取り付け金具上部切れ目１４の切れ目ごとに内側に折り曲げる。取り付け金具１０の下部下部固定用横穴１３を利用してバーベキューグリルの通気口へビス１５
、ナット１６で固定する。
【００１７】
ベベルギア大８、肉止め金具２、倒れ防止金具３の付いた丸棒１を渡し、ベベルギア大８を丸棒１の駆動部側軸受け１７外側に、駆動部６より出たベベルギア小９とベベルギア大８が噛み合う位置に固定、他方支柱の軸受け１８
外側に倒れ防止金具３、肉止め金具２は中央に仮止めする。
【００１８】
ベベルギア大８を固定した丸棒１をそれぞれの軸受けからはずし、倒れ防止金具３をはずし肉の塊を丸棒１に刺し通し、肉止め金具２で固定、倒れ防止
金具３を元の位置に固定する。
【００１９】
セットできた丸棒を、それぞれの軸受けに落とし込みスイッチを入れる。
【図面の簡単な説明】
【図１】本考案の正面図、上面図、駆動部側面図である。
【図２】取り付け金具１０の拡大図である。
【図３】実施例の斜視図である。
【符号の説明】
１、丸棒
２、肉止め金具
３、倒れ防止金具
４、支柱
５、駆動部側支柱
６、駆動部
７、スイッチ
８、ベベルギア大
９、ベベルギア小
１０、取り付け金具
１１、サドル
１２、支柱固定蝶ねじ
１３、下部固定用横穴
１４、取り付け金具上部切れ目
１５、ビス
１６、ナット
１７、駆動部側支柱軸受け
１８、支柱軸受け
【図１】
0003097514.tif 000003
【図２】
0003097514.tif 000004
【図３】
0003097514.tif 000005
(57)【要約】　　　（修正有）【課題】時報信号の検知機能を目と耳で直接、常時確認できる手段を傭えたプログラムタイマーを提供する。【解決手段】特定のラジオ放送の時報信号に含まれる４４０Ｈｚと８８０Ｈｚに反応する４４０Ｈｚ検知表示灯４及び８８０Ｈｚ検知表示灯５を備え、時報と判定したとき、過去の一定期間における時報受信回数を時報受信回数表示部７に数字表示し、同時に時報信号に含まれる８８０Ｈｚの信号をスピーカ９で発音させる。【選択図】　図２
0003097516.tif 000002
【実用新案登録請求の範囲】
【請求項１】
ラジオ放送の音声受信信号に含まれる４４０Ｈｚ及び８８０Ｈｚを検知したとき、それぞれの周波数に反応して点灯する表示灯を備えたプログラムタイマー。
【請求項２】
ＮＨＫ放送の時報信号を検知して、時報の受信成功回数を表示する表示器を備えた請求項１記載のプログラムタイマー。
【請求項３】
ＮＨＫ放送の時報信号を検知したとき、時報信号に含まれる８８０Ｈｚの信号を発音するスピーカを備えた請求項２記載のプログラムタイマー。
【考案の詳細な説明】
【０００１】
【考案の属する技術分野】
本考案はプログラムタイマーの改良に関するものである。
【０００２】
【従来の技術】
設定した時刻に出力信号を発生させるプログラムタイマーにおいて、時刻を修正する手段としてラジオ放送の時報を検知して自動的に秒針を修正している。例えば、ラジオ放送のＮＨＫの時報は１日数回の時報の放送があるため、時報を検知することにより、そのつど秒針を修正設定することができる。しかし表示される時刻はそのつど修正された現在時刻を表示しているものの、実際に時報信号を検知しているかどうかについての直接的な確認手段がなかった。即ち時報信号である４４０Ｈｚと８８０Ｈｚを直接目と耳で容易に確認できる構造ではなかった。また、過去において時刻を修正した実績が直接確認できる構造ではなかった。
【０００３】
【考案が解決しようとする課題】
そこで本考案が解決しようとする課題は、時報信号を直接目と耳で確認できる構造にすることと、過去に受信した時報の回数を数字表示で確認できるようにすることである。
【０００４】
【課題を解決するための手段】
受信するラジオ放送についてはＮＨＫとし、その時報は４４０Ｈｚの短音３回に続く８８０Ｈｚの長音１回で構成されており、一定の時間間隔で規制されている。従って４４０Ｈｚと８８０Ｈｚを検知して表示灯を点灯できる構造にする。次に検知された２つの周波数が規制された時間間隔と判定したとき、時報と認定し受信回数を数字表示するとともに、時報に含まれる８８０Ｈｚの信号を直接スピーカで出力し発音させる。
【０００５】
【考案の実施の形態】
以下、実施例により考案実施の態様を説明する。
【０００６】
図１は本考案のブロック図を示す。
【０００７】
図１において、受信部１の出力は増幅部２を経由してトーンデコーダ部３に入力されて、４４０Ｈｚ及び８８０Ｈｚの信号のみが出力される。２つの周波数の出力信号はそれぞれ４４０Ｈｚ検知表示灯４及び８８０Ｈｚ検知表示灯５に接続され、信号検知時のみ点灯する。さらに２つの周波数の出力はＣＰＵ部６に入力されて時間間隔等の判定をし、時報と判定したとき、時刻表示部８の秒針をリセットすると同時に受信回数にカウントし時報受信回数表示部７に数字表示する。時報受信回数表示部７は累積表示とするが、一定時間経過毎に、例えば１２時間毎にリセットする方式とする。ＣＰＵ部６が時報と判定したとき、スピーカ８が作動し、時報の８８０Ｈｚ信号が出力されてスピーカ８から８８０Ｈｚ信号が発音する。設定スイッチ部１１により設定されたプログラムにより制御出力部１２が作動する。
【０００８】
図２は本考案の表示部の一例を示す。
【０００９】
図２において、４４０Ｈｚ検知表示灯４と８８０Ｈｚ検知表示灯５は、時報信号を受信したとき一定の間隔で点灯するが、時報以外の放送受信中であれば受信信号に応じて煩雑に点滅する。このため時報信号の検知機能が作動していることを時報以外の時間帯でも確認することができる。時報受信回数表示部７は過去１２時間の時報検知回数を表示しているので時刻修正機能がどの程度の頻度で機能しているかを確認できる。
【００１０】
【考案の効果】
本考案は、ラジオ放送の時報による時刻修正の機能を直接目と耳でモニターできることにより、機器を安心して使用することができる。特に受信状態が良くない場所で機器を使用するとき、簡単な方法で継続的に時刻修正機能の作動状態を確認できる効果がある。
【図面の簡単な説明】
【図１】本考案のブロック図
【図２】本考案の表示部の一例
１：受信部
２：増幅部
３：トーンデコーダ部
４：４４０Ｈｚ検知表示灯
５：８８０Ｈｚ検知表示灯
６：ＣＰＵ部
７：時報受信回数表示部
８：時刻表示部
９：スピーカ
１０：電源部
１１：設定スイッチ部
１２：制御出力部
【図１】
0003097516.tif 000003
【図２】
0003097516.tif 000004
【手続補正書】
【提出日】平成15年5月26日(2003.5.26)
【手続補正１】
【補正対象書類名】明細書
【補正対象項目名】請求項２
【補正方法】変更
【補正の内容】
【請求項２】
ラジオ放送の時報信号を検知して、時報の受信成功回数を表示する表示器を備えた請求項１記載のプログラムタイマー。
【手続補正２】
【補正対象書類名】明細書
【補正対象項目名】請求項３
【補正方法】変更
【補正の内容】
【請求項３】
ラジオ放送の時報信号を検知したとき、時報信号に含まれる８８０Ｈｚの信号を発音するスピーカを備えた請求項２記載のプログラムタイマー。
【手続補正３】
【補正対象書類名】明細書
【補正対象項目名】０００２
【補正方法】変更
【補正の内容】
【０００２】
【従来の技術】
設定した時刻に出力信号を発生させるプログラムタイマーにおいて、時刻を修正する手段としてラジオ放送の時報を検知して自動的に秒針を修正している。例えば、特定のラジオ放送においては１日数回の時報の放送があるため、時報を検知することにより、そのつど秒針を修正設定することができる。しかし表示される時刻はそのつど修正された現在時刻を表示しているものの、実際に時報信号を検知しているかどうかについての直接的な確認手段がなかった。即ち時報信号である４４０Ｈｚと８８０Ｈｚを直接目と耳で容易に確認できる構造ではなかった。また、過去において時刻を修正した実績が直接確認できる構造ではなかった。


【手続補正４】
【補正対象書類名】明細書
【補正対象項目名】０００４
【補正方法】変更
【補正の内容】
【０００４】
【課題を解決するための手段】
受信するラジオ放送の時報は４４０Ｈｚの短音３回に続く８８０Ｈｚの長音１回で構成されているものとし、一定の時間間隔で規制されている。従って４４０Ｈｚと８８０Ｈｚを検知して表示灯を点灯できる構造にする。次に検知された２つの周波数が規制された時間間隔と判定したとき、時報と認定し受信回数を数字表示するとともに、時報に含まれる８８０Ｈｚの信号を直接スピーカで出力し発音させる。
(57)【要約】【課題】本考案は、乗車券やテレホンカード等の類似したカードを差別化し、高齢者や視力の弱い者の使用を容易にする。【解決手段】本考案は、カード本体１表面にカードの種類の明記された矢印型のシール２を貼り、カードの種類と挿入方向を明確化する。矢印は適度に大きく、印刷された文字２ａの読みやすいものが望ましく、シール本体の色はカード表面の図柄、色彩傾向に補色の関係に近い色彩が使用されるのが望ましい。【選択図】　図１
0003097509.tif 000002
【実用新案登録請求の範囲】
【請求項１】
乗車券、テレフォンカード、クレジットカード等に挿入方向を示す矢印型シールを貼り、その種類を記るすことでカード自体の利便性を高めることを目的としたシール及びその使用法。
【考案の詳細な説明】
【０００１】
【考案の属する技術分野】
本考案は、使用する乗車券、テレフォンカード、クレジットカード等の種類を明らかにし、ハード機への挿入方向を明らかにするシールに関するものである。
【０００２】
【従来の技術】
現在、市販されている多様なカード（ＪＲイオカード、地下鉄乗車カード、バス乗車カード、テレフォンカード、ふみカード、トイカード、クレジットカード等）は、表面図柄に分かりやすい特徴がない上、挿入すべき方向を示す矢印が非常に小さく、高齢者らの円滑な使用を妨げていた。
【０００３】
【考案が解決しようとする課題】
カードの種類を明確化することで、異なったカードの誤用を避け、ハード機の故障を事前に防ぐ。混雑の原因となる自動改札での誤用を解消する。特に高齢者や視力の弱い者の使用を助ける。
【０００４】
【課題を解決するための手段】
カードの表面に本考案の数種のシールを貼ることで、カードの種類を統一された書体で大きく見やすいものにし、使用すべきカードの選択をすばやく行えるようにする。表面に接着されたシールは矢印型であり、どのような図柄のカードであっても挿入すべき方向が一目瞭然にされる。
【０００５】
【考案の実施の形態】
矢印型のシール内部にカードの種類を示す文字（「ＪＲ」、「地下鉄」、「バス」、「私鉄共有」、「電話」、「郵便局」、「おもちゃ」、「銀行」等）を印刷したもの。使用度数を表示する穴の開く部分を隠さない程度、且つ印刷された文字２ａが見やすい程度の大きさが望ましい。粘着力は機器への幾度の挿入に耐え、且つ使用終了後には剥がしやすいものが好ましい。
【０００６】
【実施例】
以下、添付図面に従って実施例を説明する。図１は本考案実施の一例を示すものである。カード本体１の表面中央にカード本体の挿入方向に合致するように矢印型のシール２を貼る。
【０００７】
【考案の効果】
本考案のシールを貼ることで、一瞥しただけでカードの種類と挿入方向が明らかになる。従って瞬時に目的のカードを取り出すことが可能となり、ハード機器を使用する１人当たりの時間の短縮できる。多様な種類のカードの誤用を避け、ハード機器の故障を軽減することができる。高齢者、視力の弱い者の使用を助け、公共の利益に貢献する。
【図面の簡単な説明】
【図１】本考案の実施例を示す正面図である。
【図２】本考案の実施を斜視図。
【符号の説明】
１　カード本体
２　シール
２ａ　カードの種類を表す文字
【図１】
0003097509.tif 000003
【図２】
0003097509.tif 000004
【手続補正書】
【提出日】平成15年6月10日(2003.6.10)
【手続補正１】
【補正対象書類名】明細書
【補正対象項目名】実用新案登録請求の範囲
【補正方法】変更
【補正の内容】
【実用新案登録請求の範囲】
【請求項１】
乗車券、テレフォンカード、クレジットカード等に挿入方向を示す矢印型シールを貼り、その種類を記るすことでカード自体の利便性を高めることを目的としたシール。
(57)【要約】【課題】ボトルキャップが幼小児では簡単に開けられないようにする。【解決手段】安全外キャップをボトルキャップにはめ込み、幼小児の力では空回りし開けにくいが、大人の力では、プラスチックの弾力性により安全外キャップの内側全体のすべり止めとボトルキャップ２の外ねじがかみ合いボトルキャップを開けることができる。【選択図】　　図２
0003097505.tif 000002
【実用新案登録請求の範囲】
【請求項１】
ボトルキャップ２の外側にはめ込まれた安全外キャップ１は空回りするが、安全外キャップ１のどこの部分を強く握ってもプラスチックの弾力性で安全外キャップ１の内側全体のすべり止めとボトルキャップ２の外ねじがかみ合いボトルキャップ２を開けることができる。
【考案の詳細な説明】
【０００１】
【考案が解決しようとする課題】
ボトルキャップ２だけでは、幼小児がキャップを開けてしまう恐れがあった。
【０００２】
【課題を解決するための手段】
安全外キャップ１をボトルキャップ２に、はめ込むことにより、幼小児には安全外キャップ１が空回りし開けにくいが、大人が安全外キャップ１を強く握ると、プラスチックの弾力性で安全外キャップ１の内側全体のすべり止めとボトルキャップ２の外ねじがかみ合いボトルキャップ２を開けることができる。
【図面の簡単な説明】
【図１】安全外キャップの斜視図である。
【図２】安全外キャップがボトルキャップにはめ込まれる前の斜視図で、はめ込まれ
てから回転することを意味している。
【符号の説明】
１　安全外キャップ
２　ボトルキャップ
【図１】
0003097505.tif 000003
【図２】
0003097505.tif 000004
【手続補正書】
【提出日】平成15年5月30日(2003.5.30)
【手続補正１】
【補正対象書類名】明細書
【補正対象項目名】請求項１
【補正方法】変更
【補正の内容】
【請求項１】
ボトルキャップ２の外側にはめ込まれた安全外キャップ１は空回りするが、安全外キャップ１のどこの部分を強く握ってもプラスチックの弾力性で安全外キャップ１の内側全体のすべり止めとボトルキャップ２の外ねじがかみ合いボトルキャップ２を開けることができる安全外キャップ。
(57)【要約】【課題】単純形状で安価なゴルフ・パッティング練習補助具を提供する。【解決手段】逆Ｕ字形状のゲートを疑似カップとすることにより、ゴルフボールがゲートを通過する様が、実際のカップインに近い練習を可能にする。【選択図】　図６
0003097502.tif 000002
【実用新案登録請求の範囲】
【請求項１】
接地面が開放された、断面が逆Ｕ字形状のゲート形ゴルフ・パッティング練習用補助具
【考案の詳細な説明】
【０００１】
【考案の属する技術分野】
本考案はゴルフ・パッティング練習用補助具に係わるものである。
【０００２】
【従来の技術】
ゴルフプレイにおけるスコアアップのためにはパッティング練習が欠かせないものである。パッティング練習には最低限の道具として、パタークラブ、ゴルフボールおよびカップインを疑似体験するための疑似カップ付補助具が必要である。このうちパタークラブとゴルフボールは実際のゴルフプレイ時に使用するものと同一または類似のものを使用するが、従来、疑似カップ付補助具は以下のものを使用するのが一般的であった。
（１）弾性に富む材料（例えばゴムなど）で、円錐台形状の中央に実際のカップとほぼ同一外形寸法の疑似カップを有するもの。（従来品１）
（２）全体が跳び箱の踏切り台に似た登り傾斜面に続く平坦面に、実際のカップとほぼ同一外形寸法の疑似カップを有するもの。（従来品２）
（３）上記（２）の改良型で、疑似カップに入ったゴルフボールが内部の下り傾斜通路を経て、パッティング位置近くに戻ってくるもの。（従来品３）
上記（１）（従来品１）は最も安価であるが、図１、２、３、４に示すように全体の形状が円錐台で、ゴルフボール２は必ず円錐面の登り傾斜部１を経て疑似カップ３に入る仕掛けになっているため、実際にコースに切られたカップの様態（登り傾斜、下り傾斜、フラットなど）とは異なっている。このため実際のグリーンコースに似せた環境でのパッティング練習ができないという欠点があった。
また（２）、（３）のもの（従来品２、３）は（１）（従来品１）と異なり、図５に示すように登り傾斜面４に続く平坦面５に疑似カップ３があり、このため必ず登り傾斜面でのパッティング練習になり、こも実際のコースに似せた環境でのパッティング練習ができないという欠点があった。
また、これらは（１）に比べ高価である。
【０００３】
【考案が解決しようとする課題】
本考案は、従来のパッティング練習補助具が、すべて登り傾斜面の頂上または登り傾斜面に続く平坦面に疑似カップを設けているため、練習が登り傾斜面での対応のみで実際のコースに切られたいろいろなカップに対応した練習ができないという課題を、構造が簡単で安価な用具で解決するものである。
【０００４】
【課題を解決するための手段】
前述した従来の課題を解決するため、図６に示すように、従来の疑似カップ補助具ではなく、全体を逆Ｕ字状として開放部６を地面側に置き、開放された幅７を習熟度に合わせた寸法としてパッティングの練習に供するようにしたものである。ここで、逆Ｕ字の高さ８はゴルフボールの直径より大きくしてある。また材質は、ゴムや合成樹脂（プラスチックス）では軽過ぎてゴルフボールが左右の壁９、１０にぶつかつたときに本体が動くことのないように、ゴムや合成樹脂に比較して比重の重い金属製にしている。さらに、従来品１、２、３はゴムやプラスチックスを用いて複雑な形状を形成させるため、必ず高価な成形用の金型等を作って、溶かした材料を金型内に高圧で注入して材料が冷えてから取り出す成形法で製造するのが一般的であるが、本案では金型などは使用せず、ＪＩＳ規格品である型鋼などを切断して安価に製造することも目的としている。
【０００５】
【考案の実施の形態】
以下、図面を用いて本考案を説明する。
図６は本実施の形態に係るゴルフ・パッティング練習用補助具の外観図、図７はそれを使用したパッティング練習図である。
図６において９および１０は逆Ｕ字状の左右の壁、１１は上側の壁である。また９、１０，１１はある奥行１２を持たせ全体的にはゲート（門）形状である。さらに１３は開放された幅７の半分の寸法で上壁１１の表面にある幅で付けたセンターラインである。
使い方は、従来の疑似カップ補助具と同様に、パターのスタート位置から適宜離れた位置に本案になるゴルフ・パッティング練習用補助具の逆Ｕ字状の開放面が正面を向くようにセットする。この場合、セットする場所は屋内、屋外の平坦面でも傾斜面どちらでもよい。
練習者は、パタークラブ１４でセンターライン１３を一つの目印にして、逆Ｕ字状の開放部６を狙ってパッティングを行なう。
【０００６】
【考案の効果】
以上のように、本考案によれば、単純な形状で安価なゴルフ・パッティング練習用補助具を用いて、練習用のグリーンやじゅうたん類の編み目から生じる僅かなボールの曲がるラインを利用して、実際のグリーン状態に近いパッティングの練習が可能となる。
【０００７】
【図面の簡単な説明】
【図１】従来品１の外観図である。
【図２】従来品１の断面図である。
【図３】従来品１を使用したパッティングの説明図１である。
【図４】従来品１を使用したパッティングの説明図２である。
【図５】従来品２の外観図である。
【図６】本考案品の外観図である。
【図７】本考案品を使用したパッティングの説明図である。
【符号の説明】
１　円錐面の登り傾斜部
２　ゴルフボール
３　疑似カップ
４　登り傾斜面
５　平坦面
６　開放部
７　開放された幅
８　高さ
９　左壁
１０　右壁
１１　上壁
１２　奥行
１３　センターライン
１４　パタークラブ
【図１】
0003097502.tif 000003
【図２】
0003097502.tif 000004
【図３】
0003097502.tif 000005
【図４】
0003097502.tif 000006
【図５】
0003097502.tif 000007
【図６】
0003097502.tif 000008
【図７】
0003097502.tif 000009
(57)【要約】　　　（修正有）【課題】長期にわたつて接続して使用するコンセントの差し込み口の隙間に埃が詰まって漏電による火災を防止する。【解決手段】コンセントＡに１凹部を設け、コンセントＢに２凸部、３絶縁キャップを設ける。【選択図】　　図１
0003097506.tif 000002
【実用新案登録請求の範囲】
【請求項１】
コンセントＡに▲１▼凹部を設けコンセントＢに▲２▼凸部、▲３▼絶縁キャップを設ける。
【考案の詳細な説明】
【０００１】
【産業上の利用分野】
この考案はコンセントの差し込み口の隙間に埃が詰り、漏電による火災の発生を防止することを目的としたものです。すべてのコンセントに摘要するものです。
【０００２】
【従来の技術】
従来より、通常のコンセントがある。
【０００３】
【考案が解決しようとする課題】
これは次のような欠点があった
（イ）コンセントＡとコンセントＢを長期間接続し続けるとコンセントＡとコンセントＢの差し込み口の隙間に埃が詰り、漏電による火災が発生することがあった。
本考案は、これらの欠点を除くためになされたもので、すべてのコンセントに摘要するものです。
【０００４】
【課題を解決するための手段】
コンセントＡに▲１▼凹部を設け、コンセントＢに▲２▼凸部、▲３▼絶縁キャップを設ける。▲１▼凹部と▲２▼凸部の結合により、差し込み口の隙間に埃が詰らないため、埃による漏電からの火災の発生を防止することができる。また使用しない差し込み口は▲３▼絶縁キャップで塞ぐ。
【０００５】
【作用】
▲１▼凹部と▲２▼凸部の結合により、差し込み口に埃が詰らないため、埃による漏電からの火災の発生を防止することができる。。
【実施例】
【０００６】
以上、本考案の実施例について説明する。
（イ）差し込み口の隙間に埃が詰らないので、漏電による火災の発生を防止することができる。
【０００７】
【考案の効果】
漏電による火災の発生を防止することがきる。
【図面の簡単な説明】
【図　１】本考案の使用状態を示す斜視図
【図　２】▲１▼凹部と▲２▼凸部の結合より、差し込み口の隙間に直接埃が詰らないので、漏電からの火災の発生を防止することができる。コンセントＡの▲１▼凹部とコンセントＢの▲２▼凸部の結合により差し込み口が二重に固定されるので外れ難くなり安全である。また、使用しない接続口は▲３▼絶縁キャップで塞ぎ埃の侵入を防ぐ。全てのコンセントに適応するものです。
【符号の説明】
▲１▼凹部
▲２▼凸部
▲３▼絶縁キャップ
【図１】
0003097506.tif 000003
【図２】
0003097506.tif 000004
【手続補正書】
【提出日】平成15年5月26日(2003.5.26)
【手続補正２】
【補正対象書類名】明細書
【補正対象項目名】全文
【補正方法】変更
【補正の内容】
【考案の詳細な説明】
【実用新案登録請求の範囲】
【請求項１】コンセントプラグに▲１▼凹部を設け、コンセントタップに▲２▼凸部、▲３▼絶縁キャップを設けたことを特徴としたセフティコンセント。
【考案の詳細な説明】
【０００１】
【産業上の利用分野】
この考案はコンセントプラグとコンセントタップの差し込み口の隙間に埃が詰り、漏電による火災の発生を防止することを目的としたものです。
【０００２】
【従来の技術】
従来より、通常のコンセントがある。
【０００３】
【考案が解決しようとする課題】
これは次のような欠点があった
（イ）コンセントプラグとコンセントタップを長期間接続し続けるとコンセントプラグとコンセントタップの差し込み口の隙間に埃が詰り、漏電による火災が発生することがあった。
本考案は、これらの欠点を除くためになされたもので、すべてのコンセントに摘要するものです。
【０００４】
【課題を解決するための手段】
コンセントプラグに▲１▼凹部を設け、コンセントタップに▲２▼凸部、▲３▼絶縁キャップを設ける。▲１▼凹部と▲２▼凸部の結合により、差し込み口の隙間に埃が詰らないため、埃による漏電からの火災の発生を防止することができる。また使用しない差し込み口は▲３▼絶縁キャップで塞ぐ。
【０００５】
【作用】
▲１▼凹部と▲２▼凸部の結合により、差し込み口に埃が詰らないため、埃による漏電からの火災の発生を防止することができる。
【実施例】
【０００６】
以上、本考案の実施例について説明する。
（イ）差し込み口の隙間に埃が詰らないので、漏電による火災の発生を防止することができる。
【０００７】
【考案の効果】
漏電による火災の発生を防止することがきる。
【図面の簡単な説明】
【図１】本考案の使用状態を示す斜視図
【図２】▲１▼凹部と▲２▼凸部の結合より、差し込み口の隙間に埃が詰らないので、漏電からの火災の発生を防止することができる。コンセントプラグの▲１▼凹部とコンセントタップの▲２▼凸部の結合により差し込み口が完全に固定されるので埃りが詰ることがなくなり又、外れ難くなり安全である。また、使用しない接続口は▲３▼絶縁キャップで塞ぎ埃の侵入を防ぐ。
【符号の説明】
▲１▼凹部
▲２▼凸部
▲３▼絶縁キャップ
【手続補正３】
【補正対象書類名】図面
【補正対象項目名】全図
【補正方法】変更
【補正の内容】
【図１】
0003097506.tif 000005
【図２】
0003097506.tif 000006
(57)【要約】　　　（修正有）【課題】排気ガスおよびエンジンの熱も出さない小型風力発電システムを数個搭載した電気自動車を提供する。【解決手段】従来のバッテリー（蓄電池）など大きくて重たいし、使用時間など限度がありますし、ソーラ発電も雨の日、曇りの日は、発電力も少なく現在は、水素などもつかわれるが、この小型発電システムを数個搭載して使用すれば、最初の、電気動力は、必要でありますが、走ってしまえば発電力が得られるので、全く、他のエネルギーを、必要としない新しい最良の方法ではないでしようか。　又、石油、ガソリン、水素ガス、プロパンガスなど使用しないため、排気ガスもでないし、地球温暖化もなくなり、エンジンの熱も出ない為、限り在る地球資源を守り、最も人類共存共栄の為、全世界の人類と植物、食料、動物、魚介類など、人類に欠かせない、天の恵みをいつまでも育て地球を、守るためには、最もエコロジーな方法と考える次第です。【選択図】図１
0003097504.tif 000002
【実用新案登録請求の範囲】
【請求項１】
電気自動車、ハイブリットカー、ソーラカー、水素カー、ロケット、飛行機、ヘリコプター、モノレール　電車、自動車、モターバイク、自転車、遊戯具　船、潜水艦、モターボート、ヨット、水上バイク　トラック、バス、などに、「小型風力発電システムを、数個搭載した、乗り物」
【考案の詳細な説明】
従来の使用のバッテリー（蓄電池）など大きくて重たいし、使用時間など限度がありますし、ソーラ発電も太陽の方向にあわせなければならなく雨の日、曇りの日は、発電力も少なく現在は、水素なども使われるが、この小型風力発電システムを数個搭載して使用すれば最初の、電気動力は、必要でありますが、走ってしまえば発電しますので、全く、他のエネルギーを、必要としない新しい最良の方法ではないでしょうか。
又、石油、ガソリン、水素ガス、プロパンガスなど使用しないため排気ガスも出ないし、地球温暖化もなくなりエンジンの熱も出ないため地球を守るために、最もエコロジーな方法ではないでしょうか。
【図面の簡単な説明】
【図１】（Ａ）．（Ｂ）小型発電システムととプロペラの平面図と、斜視図」
【図２】車のフロントのラジエターぐるりに、小型発電システムを、搭載した立体図」
【図３】車のリアー（トランク）部に、小型発電システムを、搭載した立体図」
【付号の説明】
．　（１）発電システムのプロペラ（Ｂ）風圧で、プロペラの角度が変わる」
．　（２）プロペラと発電システム」
．　（３）発電システムの軸受け」
0003097504.tif 000003
【手続補正書】
【提出日】平成15年5月15日(2003.5.15)
【手続補正２】
【補正対象書類名】図面
【補正対象項目名】全図
【補正方法】変更
【補正の内容】
【図１】
0003097504.tif 000004
【図２】
0003097504.tif 000005
【図３】
0003097504.tif 000006